(57)【要約】【課題】  無効な発呼を繰り返した後、不達に至ってしまう不具合を回避するファクシミリ装置を提供する。【解決手段】  複数の通信用回線を収容するファクシミリ装置において、定期的に各収容回線の接続状態をチェックし、接続不良と判断した場合は当該回線を操作上選択できないように制御する制御手段３を備えた。【選択図】  図１
2006229715.tif 000002
【特許請求の範囲】
【請求項１】
複数の通信用回線を収容するファクシミリ装置において、前記複数の通信用回線の接続状態をチェックし、接続不良と判断した場合に当該通信用回線を選択できないように制御する制御手段を備えたことを特徴とするファクシミリ装置。
【請求項２】
請求項１に記載のファクシミリ装置において、前記制御手段は、空き回線指定の送信用ジョブファイルが登録済みの場合、当該送信用ジョブファイルが開始し発呼するときに接続不良と判断した前記通信用回線を選択不可回線として使用を禁止する制御を行うことを特徴とするファクシミリ装置。
【請求項３】
請求項１に記載のファクシミリ装置において、前記制御手段は、固定回線指定の送信用ジョブファイルが登録済みの場合、当該送信用ジョブファイルの回線種別が接続不良と判断された回線であるときは、当該送信用ジョブファイルが開始し発呼するときに、接続不良である旨を表示手段から警告すると共に当該送信用ジョブファイルを接続回線の回復待ちとする制御を行うことを特徴とするファクシミリ装置。
【請求項４】
請求項３に記載のファクシミリ装置において、前記制御手段は、前記接続回線の回復待ちとなっている送信ジョブファイルを、当該接続回線が回復した時点で送信開始するように制御を行うことを特徴とするファクシミリ装置。
【発明の詳細な説明】
【技術分野】
【０００１】
本発明は、ファクシミリ機能を有する複合機を含むファクシミリ装置に関し、特に、複数の通信用回線を収容するファクシミリ装置に関する。
【背景技術】
【０００２】
従来から、内・外線やＧ３・Ｇ４回線に接続して通信する複数の通信機能を通信装置が知られている（特許文献１等）。
【特許文献１】特開２００４−１５３８５６公報
【発明の開示】
【発明が解決しようとする課題】
【０００３】
ところで、従来の複数の通信用回線を収容するファクシミリ装置においては、機器収容回線の接続状態をチェックし、その状態（使用可／否）から送信時に使用できる回線を制限するといったことは行われておらず、仮に接続不良等で実際には使用できない回線もオペレータにより選択されたり、或いは機器により自動選択されたりするなどし、その結果として無効な発呼を繰り返した後、不達に至るという不具合が発生することがあった。
そこで、本発明は無効な発呼を繰り返した後、不達に至るという不具合を回避するファクシミリ装置を提供することを目的とする。
【課題を解決するための手段】
【０００４】
上記目的を達成するために、請求項１記載の発明は、複数の通信用回線を収容するファクシミリ装置において、前記複数の通信用回線の接続状態をチェックし、接続不良と判断した場合に当該通信用回線を選択できないように制御する制御手段を備えたファクシミリ装置であることを特徴とする。
請求項２記載の発明は、請求項１に記載のファクシミリ装置において、前記制御手段は、空き回線指定の送信用ジョブファイルが登録済みの場合、当該送信用ジョブファイルが開始し発呼するときに接続不良と判断した前記通信用回線を選択不可回線として使用を禁止する制御を行うファクシミリ装置であることを特徴とする。
請求項３記載の発明は、請求項１に記載のファクシミリ装置において、前記制御手段は、固定回線指定の送信用ジョブファイルが登録済みの場合、当該送信用ジョブファイルの回線種別が接続不良と判断された回線であるときは、当該送信用ジョブファイルが開始し発呼するときに、接続不良である旨を表示手段から警告すると共に当該送信用ジョブファイルを接続回線の回復待ちとする制御を行うファクシミリ装置であることを特徴とする。
請求項４記載の発明は、請求項３に記載のファクシミリ装置において、前記制御手段は、前記接続回線の回復待ちとなっている送信ジョブファイルを、当該接続回線が回復した時点で送信開始するように制御を行うファクシミリ装置であることを特徴とする。
【発明の効果】
【０００５】
本発明によれば、複数の通信用回線の接続状態をチェックすることで、使用できない回線を選択できないようにすることができる。
また、空き回線指定の送信用ジョブファイルが登録済みで、しかもその送信用ジョブファイルを送信するまでに回線接続不良に陥った場合も、使用可能な回線が選択されるので必ず送信することができる。
また、固定回線指定の送信用ジョブファイルが登録済みで、しかもその送信用ジョブファイルを送信するまでに回線接続不良に陥った場合も、オペレータに通知することで接続不良状態の回復を促すことができる。
またオペレータにより回線回復後、接続回復待ちジョブは自動で送信開始させることができる。
【発明を実施するための最良の形態】
【０００６】
以下、本発明の実施の形態を図面にしたがって説明する。
図１は本発明の実施の形態に係るファクシミリ装置の機能ブロック図である。
本実施の形態のファクシミリ装置は、操作部１、表示部２、ＦＡＸ制御部３、読み取り部４、記録部５、信号発生部６、メモリ７、回線制御部８を備え、これら、操作部１、表示部２、読み取り部４、記録部５、信号発生部６、メモリ７、回線制御部８はＦＡＸ制御部３によって制御される。
操作部１は、当該ファクシミリ装置の一般的なファクシミリ操作を行うことが可能であり、これらのデータはアスキーコードでＦＡＸ制御部３内の図示しないＲＡＭに記憶される。表示部２は操作部１を介して設定された送信条件等を表示するものである。
この操作部１からファクシミリ発信動作が行われると、ＦＡＸ制御部３の制御により送信原稿が読み取り部４で読み取られ、メモリ７を介して信号発生部６において専用伝送フォーマットに変換され、回線制御部８を介して設定された相手先に送信される。また受信したフォーマットはＦＡＸ制御部３により解読され、画像はメモリ７に記憶されると共に記録部５により記録紙に出力される。
図２は機器収容回線と各々の使用可否状態（使用中／未使用／回線接続不良）を示す図である。図３は送信ジョブ情報を示す図である。作成済み送信ジョブ各々について、オペレータにより指定された回線種別とジョブ動作時に選択／決定された回線種別およびジョブの動作状態を示している。
図４は本実施形態のファクシミリ装置における機器収容回線の接続状態チェック動作を示すフローチャートである。
機器収容回線について、周期的に回線接続状態をチェックし（Ｓ１）、回線接続不良ならば（Ｓ２でＹ）、回線状態として回線抜けを設定し（Ｓ３）、その内容を機器収容回線情報として記憶する（図２参照）。
図５はオペレータによる送信ジョブ作成処理動作を示すフローチャートである。
この場合、オペレータにより回線選択操作が開始された場合、回線状態情報から選択可能な回線を表示する（Ｓ１１）。次に、ＦＡＸ送信するために回線（空きまたは固定の使用回線）を選択し宛先を設定して原稿の読み取り動作を開始させる（Ｓ１２〜Ｓ１４）。
このように本実施の形態のファクシミリ装置においては、逐次更新される機器収容回線情報を元に接続不良状態以外の回線を選別して表示するため、オペレータが回線を固定指定する場合に使用できない回線が選択されるのを防ぐことができる。
【０００７】
次に送信ジョブが送信開始するまでに機器収容の任意のポートが接続不良となった場合の動作を説明する。
図６は空き回線指定の送信ジョブ動作を示すフローチャートである。
空き回線指定の送信ジョブを開始する場合、回線状態情報から使用可能な回線を選択して（Ｓ２１）、送信を開始する（Ｓ２２）。
このように本実施の形態のファクシミリ装置においては、オペレータにより空き回線指定された場合は、機器の収容回線の状態により最適な回線を選択するようにしているため、機器収容回線情報を元に使用中また接続不良の回線を除外することができる。
図７は固定回線指定の送信ジョブ動作を示すフローチャートである。
固定回線指定の送信ジョブを開始する場合、回線状態情報から指定の固定回線が接続不良か否かのチェックを行い（Ｓ３１）、固定回線が接続不良である場合（Ｓ３１でＹ）、表示部２から指定回線で送信できない旨を警告としてオペレータに通知する（Ｓ３２）。そしてジョブ状態を指定回線回復待ちに移行させ（Ｓ３３）、機器収容回線情報を周期的にチェックし未使用状態に移行するのを待つ（Ｓ３４）。その後オペレータにより接続回復されると送信開始する（Ｓ３５）。
以上のように、本実施形態のファクシミリ装置によれば、機器収容回線状態を機器が自動チェックし、オペレータにより無効な回線が選択されないにすることができる。また、既存の送信ジョブについては、無効な回線に対し無駄な発呼を繰り返した後、不達とならないように状態に応じて最適な送信回線選択を行い送信することができる。
【図面の簡単な説明】
【０００８】
【図１】本発明の実施の形態に係るファクシミリ装置の機能ブロック図である。
【図２】機器収容回線と各々の使用可否状態（使用中／未使用／回線接続不良）を示す図である。
【図３】送信ジョブ情報を示す図である。
【図４】機器収容回線の接続状態チェック動作を示すフローチャートである。
【図５】オペレータによる送信ジョブ作成動作を示すフローチャートである。
【図６】空き回線指定の送信ジョブ動作を示すフローチャートである。
【図７】固定回線指定の送信ジョブ動作を示すフローチャートである。
【符号の説明】
【０００９】
２  表示部（表示手段）、３  ＦＡＸ制御部（ＦＡＸ制御手段）
【図１】
2006229715.tif 000003
【図２】
2006229715.tif 000004
【図３】
2006229715.tif 000005
【図４】
2006229715.tif 000006
【図５】
2006229715.tif 000007
【図６】
2006229715.tif 000008
【図７】
2006229715.tif 000009